(57)【要約】      （修正有）【課題】テニスの技術とフォームで、素早く、上品に拾い、球ひろいに新しいスタイルを生み出すと共にテニスの技術向上に役立つ携帯球ひろいラケットを提供する。【解決手段】二枚並べたフレーム板５の前端を連結コマ４の溝に差し込み、それぞれ、固定ピン８を支点にして連結させる。後端を互いに反対方向に等分にねじって、グリップケース２内を摺動する中子６に取り付け、間に網袋７の開口部を取り付け、網袋をたたんで、全体をグリップケースに押し込んで収納する。使用時は、フレーム板を引き出し、固定ピンを支点に開口させ、ラケットのフレーム部を形成させると共に、網袋を開口させてセットする。これをテニスのフォームで振り、フレーム部でボールの下半球を狙い打ち、ボールを回転させて、網袋に転がし入れ、かごに運び入れる。使用後は、連結コマを水平に引き、フレーム部を原形に戻してから押し込んで収納する。【選択図】図１
2008264451.tif 000002
【特許請求の範囲】
【請求項１】
二枚並べたフレーム板の前端を、連結コマの溝に差し込み、それぞれ固定ピンを支点にして連結し、後端を互いに反対方向に等分にねじって、グリップケース内を摺動する中子に取り付け、間に網袋の開口部を取り付けて、全体をグリップケースに押し込んで収納する。使用時、フレーム板を引き出し、固定ピンを支点に開口させ、ラケットのフレーム部を形成させると共に、網袋を開口させる。これをテニスのフォームで振り、フレーム部でボールの下半球を狙い打ち、ボールを回転させて、網袋に転がし入れることを特徴とするテニスの携帯球ひろいラケット。
【発明の詳細な説明】
【技術分野】
【０００１】  本発明は、テニスの練習でコートにころがった大量のボールを、テニスの技術とフォームで素早く上品に拾うための、テニスの携帯球ひろいラケットに関するものである。
【技術背景】
【０００２】  従来、テニスボールを拾うのに、まずしゃがんでボールを集め、ラケットのガット面にのせて、かごに運び入れていた。
【発明の開示】
【発明が解決しようとする課題】
【０００３】  それには次のような問題点があった。
しゃがんで拾うため、腰に負担がかかって辛く、拾う姿は格好が悪いうえ、品もなかった。ラケットを汚したり傷つけたりした。テニスの上達に球拾いは無関係であった。
本発明は、以上の問題を解決しようとするものである。
【課題を解決するための手段】
【０００４】  二枚並べたフレーム板５の、前端を連結コマ４の溝に差し込み、それぞれ、固定ピン８を支点にして連結させる。後端を互いに反対方向に等分にねじって、グリップケース２内を摺動する中子６にもうけた取付部１４に取り付ける。間に、網袋７の開口部を取り付け、網袋をたたんで、全体をグリップケース２に、押し込んで収納する。これを使用するときは、連結コマ４を持ってフレーム板５を引き出し、固定ピン８を支点に開口させ、ラケットのフレーム部を形成させると共に、網袋７を開口させてセットする。これをテニスのフォームで振り、フレーム部でボールの下半球を狙い打ち、ボールを回転させて網袋７に転がし入れる。以上を特徴とする、テニスの携帯球ひろいラケットである。
【発明の効果】
【０００５】  本発明は、トップスピン、ストレート、スライス等テニスの技術で球拾いができるから、ボールを打つ時の打点技術が向上する。また、立ったまま楽に拾えるので腰の負担も解消できる。フォアハンドやバックハンドの美しいフォームで素早く球拾いができ、その姿が上品である。姿が上品なことから、練習では着ることが難しかったスコート、ワンピースも気兼ねなく着ることができる。練習がファッショナブルで楽しいものとなる。こうして、球拾いに新しく上品なスタイルが生まれ、イメージが向上する。試作した結果、重さが約２００ｇと軽く、長さ４２ｃｍとラケットより３０ｃｍ短く携帯に便利である。
【発明を実施するための最良の形態】
【０００６】以下、本発明の実施の形態を説明する。
（イ）グリップケース２に、中子６の位置を決めるための、位置ぎめ穴１０を設ける。
（ロ）グリップケース２内を摺動する中子６の前方に、フレーム板５を取り付けるための取付部１４を設け、後方には位置決めの段ピン１２を設ける。
（ハ）グリップエンド１に、空気穴１３を設ける。
（ニ）グリップケース２に蓋をするキャップ３を設ける。
（ホ）コの字形の連結コマ４の溝の下面両端に、小さな突起９を設ける。
（ヘ）２枚並べたフレーム板５の、前端を連結コマ４の溝に差し込み、それぞれ固定ピン８を支点にして連結させる。後端を互いに反対方向に等分にねじって、グリップケース２内を摺動する中子６の取付部１４に取り付ける。間に、網袋７の開口部を取り付け、網袋７をたたみ、全体をグリップケース２に押し込んで収納し、キャップ３で蓋をする。
（ト）これを、球ひろいができるようにセットするには、まず、キャップ３を取り、連結コマ４を持って、段ピン１２が位置ぎめ穴１０に、はまるまで引き出す。次に、連結コマ４をグリップケース２の前端面と平行になるまで押し下げる。このときフレーム板５は、弓なりに曲がると共に図２のように、固定ピン８を支点として左右に開口する。さらに矢じるしの方向に押せば、フレーム板５は、それぞれ、連結コマ４の溝を広げて、突起９を乗り越し、パチンと溝の底に位置決めされ直列となって全開する。こうして、ねじれがゼロとなり輪となったフレーム板５は、グリップケース２の前端で強くしぼられ、くびれを作って、テニスのラケットに似たフレーム部を形成すると共に、網袋７を開口して、図３のようにセットされる。
（チ）連結コマに設けた小さな突起９は、フレーム板５の位置を決めると共に、簡単には戻らなくして、安全性を高めたものである。
（リ）フレーム板５の前端は、開閉の障害にならないよう、あらかじめ丸く面取りをしておく。フレーム板５の後端を、向かい合った縁が上になるように互いに９０度反対方向にねじって、中子６に取り付けてある。これは、開口方向を決めると共に開口させやすくして、全開時には、ねじれをゼロにするためである。フレーム板５は、バネ板で薄くできているため、グリップケース２でしぼられると美しいフレームラインが形成される。また、その薄さゆえラケットを傾けても、ボールを打つことができるから、トップスピン、スライス等の技術を使うことができる。その上、フレーム板５を開口した時の大きさが、テニスのラケットのスウィートスポットより少し大きいくらいであるから、小さいラケットで、小さい的を打つことになり、技術の向上が見込める。
（ヌ）中子６に、もうけた取付部１４は、ねじれ角が９０度の場合を示している。フレーム板５の強さによっては、もっと小さい角度で取り付ける必要がある。こういう場合、取付部１４をねじれ角に合わせて台形などにしただけでは、フレーム板５の全開時、ねじれをゼロにできない。しかし、これは、フレーム板５の後端を長穴にしてゆるやかに取り付けることで解決できる。ねじれがゼロになれば、フレーム板５は、グリップケース２の前端のアール部にぴたりと合ってしぼられ、ガタなくフレーム部が形成される。
（ル）グリップエンド１の空気穴１３は、空気抜きの他に、中子６のスピードを調節したり、押さえて止めたりと安全にセットするためのものである。
（オ）網袋７の開口部は、フレーム板５の全開時の形に合わせて取り付け、閉じた時のフレーム板５の隙間は、網袋７の取付代を見込んである。
（ワ）試作品における、主な部品の材質を記載する。グリップケース２は、アルミニウムの形成品。フレーム板５は、鋼のバネ板。連結コマ４は、ステンレス鋼。中子６、グリップエンド１、キャップ３は、プラスチック。
本発明は、以上の構成よりなっている。
本発明を使用するときは、まず、キャップ３を取り、連結コマ４を持ってフレーム板５を引き出し、曲げ押して瞬時に開口させ、フレーム部を形成させると共に、網袋７を開口させ、図３のようにセットする。これをテニスのフォームで振り、フレーム部でボールの下半球を狙い打つと、ボールは表面の繊維がこすられて回転し、網袋７の底に向かって転がり込む。このようにしてフォアハンドやバックハンドで、フラット、トップスピン、スライスと打ち分けて拾ったり、ローボレーやハーフボレーのフォームで打ち拾ったりして、これをかごに運び入れる。使用後は、連結コマ４を水平に引いて、フレーム部を原形にもどし、押し込んで収納する。
【実施例】
【０００７】  網袋７の網目を魚用や昆虫用に変更、グリップケースの大きさを、それぞれに合わせると、容易に魚をすくう網、捕虫網を携帯化できる。
【図面の簡単な説明】
【０００８】
【図１】本発明の斜視図
【図２】本発明の操作斜視図
【図３】本発明の使用状態を示す斜視図
【符号の説明】
【０００９】  １  グリップエンド
２  グリップケース
４  連結コマ
５  フレーム板
６  中子
７  網袋
８  固定ピン
９  突起
１０  位置ぎめ穴
１１  ビス
１２  段ピン
１３  空気穴
１４  取付部
【図１】
2008264451.tif 000003
【図２】
2008264451.tif 000004
【図３】
2008264451.tif 000005